(57)【要約】【課題】利用者をコンテンツへと誘導する。【解決手段】本願に係る情報管理システムは、所定のウェブコンテンツとともに表示される情報として、利用者に関する利用者情報に基づいて選択されたコンテンツの情報と、当該コンテンツの利用に関する登録を受付けるための登録コンテンツとを、前記利用者が使用する端末装置に配信する配信部と、前記登録コンテンツを介して前記コンテンツの利用に関する登録を受付けた場合は、前記利用者情報を登録する登録部と、前記コンテンツの利用に関する所定の条件が満たされた場合は、前記利用者情報が登録された利用者が使用する端末装置に対し、前記コンテンツの利用に関する情報を送信する送信部とを有することを特徴とする。【選択図】図１
2018041411.tif 000002
【特許請求の範囲】
【請求項１】
所定のウェブコンテンツとともに表示される情報として、利用者に関する利用者情報に基づいて選択されたコンテンツの情報と、当該コンテンツの利用に関する登録を受付けるための登録コンテンツとを、前記利用者が使用する端末装置に配信する配信部と、
前記登録コンテンツを介して前記コンテンツの利用に関する登録を受付けた場合は、前記利用者情報を登録する登録部と、
前記コンテンツの利用に関する所定の条件が満たされた場合は、前記利用者情報が登録された利用者が使用する端末装置に対し、前記コンテンツの利用に関する情報を送信する送信部と
を有することを特徴とする情報管理システム。
【請求項２】
前記配信部は、前記利用者が入力した検索クエリに対する検索結果を含むウェブコンテンツとともに表示する情報として、前記利用者情報に基づいて選択されたコンテンツの情報と前記登録コンテンツとを配信する
ことを特徴とする請求項１に記載の情報管理システム。
【請求項３】
前記配信部は、前記利用者が入力した検索クエリに基づいて選択されたコンテンツの情報と、当該コンテンツに関する登録を受付けるための登録コンテンツとを配信する
ことを特徴とする請求項１または２に記載の情報管理システム。
【請求項４】
前記コンテンツの提供主に対し、当該コンテンツの利用に関する登録を行った利用者に関する情報を提供する提供部
を有することを特徴とする請求項１〜３のうちいずれか１つに記載の情報管理システム。
【請求項５】
前記登録部は、認証済みの利用者が前記登録コンテンツを選択した場合は、当該認証済みの利用者情報を収集し、収集した情報を前記所定の記憶装置に登録する
ことを特徴とする請求項１〜４のうちいずれか１つに記載の情報管理システム。
【請求項６】
前記所定の記憶装置に情報が登録された利用者の数に応じて、前記コンテンツの提供主に請求する報酬額を算出する算出部
を有することを特徴とする請求項１〜５のうちいずれか１つに記載の情報管理システム。
【請求項７】
前記送信部は、前記コンテンツの利用に関する所定の条件が満たされた場合は、当該コンテンツのデータを前記端末装置へ送信する
ことを特徴とする請求項１〜６のうちいずれか１つに記載の情報管理システム。
【請求項８】
所定のウェブコンテンツとともに表示される情報として、利用者に関する利用者情報に基づいて選択されたコンテンツの情報と、当該コンテンツの利用に関する登録を受付けるための登録コンテンツとを、前記利用者が使用する端末装置に配信する配信部と、
前記登録コンテンツを介して前記コンテンツの利用に関する登録を受付けた場合は、前記利用者情報を登録する登録部と、
前記コンテンツの利用に関する所定の条件が満たされた場合は、前記利用者情報が登録された利用者が使用する端末装置に対し、前記コンテンツの利用に関する情報を送信する送信部と
を有することを特徴とする情報管理装置。
【発明の詳細な説明】
【技術分野】
【０００１】
本発明は、情報管理システムおよび情報管理装置に関する。
【背景技術】
【０００２】
近年、インターネットの飛躍的な普及に伴い、インターネットを介した情報配信が盛んに行われている。このような技術の一例として、ゲーム等といった各種商品やサービスの配信技術が知られている。例えば、ゲームや動画像等といったコンテンツの利用に関する事前登録を受け付けておき、コンテンツの配信日時に利用者が使用する端末装置にコンテンツを自動配信するといった技術が知られている。
【先行技術文献】
【特許文献】
【０００３】
【特許文献１】特開２００９−１８２３９６号公報
【発明の概要】
【発明が解決しようとする課題】
【０００４】
しかしながら、従来技術では、必ずしも利用者をコンテンツへと誘導することができない場合がある。
【０００５】
例えば、従来技術では、利用者は、興味を持ったコンテンツのウェブ検索を行うことで、かかるコンテンツの配信予約を受け付けるウェブページを検索し、検索したウェブページ上で事前登録を行う。このため、従来技術では、事前登録を受け付けるコンテンツの情報を知らない利用者を、コンテンツの配信予約を受け付けるウェブページへと誘導することができない。
【０００６】
本願は、上記に鑑みてなされたものであって、利用者をコンテンツへと誘導することを目的とする。
【課題を解決するための手段】
【０００７】
本願に係る情報管理システムは、所定のウェブコンテンツとともに表示される情報として、利用者に関する利用者情報に基づいて選択されたコンテンツの情報と、当該コンテンツの利用に関する登録を受付けるための登録コンテンツとを、前記利用者が使用する端末装置に配信する配信部と、前記登録コンテンツを介して前記コンテンツの利用に関する登録を受付けた場合は、前記利用者情報を登録する登録部と、前記コンテンツの利用に関する所定の条件が満たされた場合は、前記利用者情報が登録された利用者が使用する端末装置に対し、前記コンテンツの利用に関する情報を送信する送信部とを有することを特徴とする。
【発明の効果】
【０００８】
実施形態の一態様によれば、利用者をコンテンツへと誘導するという効果を奏する。
【図面の簡単な説明】
【０００９】
【図１】図１は、実施形態に係る情報管理システムが実行する処理の一例を示す図である。
【図２】図２は、実施形態に係る情報管理システムが有する構成の一例を示す図である。
【図３】図３は、実施形態に係る端末装置が有する機能構成の一例を示す図である。
【図４】図４は、実施形態に係る検索サーバが有する機能構成の一例を示す図である。
【図５】図５は、実施形態に係る情報管理装置が有する機能構成の一例を示す図である。
【図６】図６は、実施形態に係る登録コンテンツデータベースに登録される情報の一例を示す図である。
【図７】図７は、実施形態に係る利用者データベースに登録される情報の一例を示す図である。
【図８】図８は、実施形態に係るメールサーバが有する機能構成の一例を示す図である。
【図９】図９は、実施形態に係る情報管理システムが登録コンテンツを送信する処理の流れの一例を示すフローチャートである。
【図１０】図１０は、実施形態に係る情報管理システムが登録コンテンツを介した事前登録を受付ける処理の流れの一例を示すフローチャートである。
【図１１】図１１は、ハードウェア構成の一例を示す図である。
【発明を実施するための形態】
【００１０】
以下に、本願に係る情報管理システムおよび情報管理装置を実施するための形態（以下、「実施形態」と呼ぶ。）について図面を参照しつつ詳細に説明する。なお、この実施形態により本願に係る情報管理システムおよび情報管理装置が限定されるものではない。また、以下の各実施形態において同一の部位には同一の符号を付し、重複する説明は省略される。
【００１１】
〔１−１．情報管理システムの一例〕
まず、図１を用いて、情報管理システム１の一例について説明する。図１は、実施形態に係る情報管理システムが実行する処理の一例を示す図である。図１では、情報管理システム１が実行する処理の一例として、利用者が使用する端末装置１００に、ウェブ検索の結果である検索結果を含むウェブコンテンツＣ１０を表示する処理の一例について記載した。
【００１２】
なお、以下に説明する情報管理システム１が利用者Ｕ０１に対して配信する広告は、営利若しくは非営利の広告だけではなく、ボランティアの募集、公共広告、公共に対する通知等であってもよい。また、情報管理システム１は、任意の商品や役務の販売、宣伝、通知等を行うコンテンツやウェブページ、ゲーム等の任意のコンテンツを広告として配信することができる。また、広告は、ウェブページ、静止画像、動画像、文字、図形、記号、ハイパーリンク、その他任意の情報を含むコンテンツが適用可能である。すなわち、利用者に対して興味を生じさせようとするコンテンツであれば、情報管理システム１は、ウェブページ、ゲーム、メール、ツイート、ブログの記事等、インターネットを介した各種サービスに関連する任意のコンテンツを広告として配信してよい。
【００１３】
図１に示す例では、情報管理システム１は、ウェブ検索を行う検索サーバ２００、端末装置１００に対してメールを送信するメールサーバ３００、端末装置１００に対して広告を配信する広告サーバ４００を有する。このような情報管理システム１は、利用者Ｕ０１が使用する端末装置１００と通信可能である。また、情報管理システム１は、端末装置１００に対して、所定のコンテンツの利用に関する会員登録を行うための登録コンテンツを配信する情報管理装置１０を有する。なお、情報管理システム１は、任意の数の端末装置１００と通信可能であってもよく、任意の数の検索サーバ２００、メールサーバ３００、広告サーバ４００、および情報管理装置１０を有していてよい。また、端末装置１００、検索サーバ２００、メールサーバ３００、広告サーバ４００、および情報管理装置１０は、インターネット等の任意のネットワークＮを介して、相互に通信可能であるものとする。
【００１４】
端末装置１００は、利用者Ｕ０１によって利用される情報処理装置であり、利用者Ｕ０１がポータルサイトや検索サイト等といった任意のウェブコンテンツを閲覧するために利用される。具体例を挙げると、端末装置１００は、スマートフォンやタブレット端末やＰＤＡ（Personal  Digital  Assistant）等の移動端末や、デスクトップ型ＰＣ（Personal  Computer）や、ノート型ＰＣ等である。
【００１５】
検索サーバ２００は、ウェブ検索を行う情報処理装置であり、例えば、サーバ装置やクラウドシステム等により実現される。例えば、検索サーバ２００は、端末装置１００から検索クエリを受付けると、受付けた検索クエリに合致するウェブコンテンツへのリンクが配置されたウェブページをウェブコンテンツＣ１０として生成し、生成したウェブコンテンツＣ１０を端末装置１００へと配信する。
【００１６】
ここで、ウェブコンテンツＣ１０には、広告を表示するための広告枠Ｃ１２が配置されている。このようなウェブコンテンツＣ１０を受付けた端末装置１００は、広告サーバ４００に広告の配信を要求する広告リクエストを送信し、広告サーバ４００から配信された広告コンテンツを広告枠Ｃ１２内に配置して、ウェブコンテンツＣ１０を表示する。
【００１７】
メールサーバ３００は、端末装置１００にメール等のメッセージを送信する情報処理装置であり、サーバ装置やクラウドシステム等により実現される。例えば、メールサーバ３００は、後述するように、情報管理装置１０からメールの送信先となる利用者の通知を受付ける。このような場合、メールサーバ３００は、所定の条件が満たされた場合は、通知された利用者が使用する端末装置へと所定のメールを送信する。
【００１８】
広告サーバ４００は、端末装置１００に対して広告コンテンツを配信するサーバ装置であり、サーバ装置やクラウドシステム等により実現される。例えば、広告サーバ４００は、端末装置１００を使用する利用者のユーザ名、パスワード、利用者の属性（例えば、デモグラフィック属性やサイコグラフィック属性等）を示す属性情報や、利用者Ｕ０１が入力した検索クエリ等、利用者に関する各種の情報である利用者情報を含む広告リクエストを受付ける。このような場合、広告サーバ４００は、属性情報や検索クエリの内容と、配信対象の候補となる広告コンテンツとのマッチングを行い、端末装置１００に対して配信する広告コンテンツを決定する。そして、広告サーバ４００は、決定した広告コンテンツを端末装置１００に配信する。この結果、端末装置１００は、利用者Ｕ０１の検索クエリや利用者Ｕ０１の属性に応じた広告をウェブコンテンツＣ１０内に配置して表示するので、広告が閲覧される可能性や選択される可能性を向上させることができる。
【００１９】
情報管理装置１０は、サーバ装置やクラウドシステム等により実現される情報処理装置である。後述するように、情報管理装置１０は、所定の条件が満たされた場合には所定のコンテンツの利用に関する登録を受付けるための登録コンテンツを端末装置１００に配信し、ウェブコンテンツＣ１０と共に表示させる。
【００２０】
〔１−２．情報管理処理〕
以下、情報管理システム１が実行する情報管理処理の一例について説明する。なお、以下の説明では、登録コンテンツとして、サービス提供前のゲームを利用するための登録を受付ける登録コンテンツの配信を行う処理の一例について説明する。
【００２１】
例えば、情報管理システム１は、以下の情報管理処理を実行する。まず、情報管理システム１は、利用者Ｕ０１の利用者情報に基づいて選択されたコンテンツであるゲームの情報と、ゲームの利用に関する登録を受付けるための登録コンテンツとを、所定のウェブコンテンツとともに表示する表示情報として、利用者Ｕ０１が使用する端末装置１００に配信する。
【００２２】
例えば、情報管理システム１は、利用者Ｕ０１の利用者情報として、利用者Ｕ０１の属性情報や、利用者Ｕ０１が入力した検索クエリなどを取得する。そして、情報管理システム１は、取得した利用者情報に応じて、事前登録を受け付けるゲームのうち、利用者Ｕ０１にマッチするゲームを選択する。より具体的な例を挙げると、情報管理システム１は、利用者Ｕ０１が入力した検索クエリとタイトルが対応しているゲームを配信コンテンツ（利用者Ｕ０１が使用する端末装置１００に配信するコンテンツであって、利用者Ｕ０１が端末装置１００を介して利用するコンテンツ。以下同じ）として選択してもよい。また、情報管理システム１は、利用者の属性情報に応じたゲームを配信コンテンツとして選択してもよい。例えば、情報管理システム１は、利用者の性別が男性である場合には、男性に人気があるゲームを配信コンテンツとして選択してもよい。
【００２３】
また、情報管理システム１は、例えば、ポータルサイトやゲームの検索サイト等で、利用者Ｕ０１が所定のリンクを選択した場合等に、利用者Ｕ０１が選択したリンクに関連するゲームを配信コンテンツとして選択してもよい。すなわち、情報管理システム１は、利用者Ｕ０１の利用者として、利用者Ｕ０１が選択したリンクに基づいて、配信コンテンツの選択を行ってもよい。
【００２４】
また、情報管理システム１は、配信コンテンツの事前登録を受け付けるための登録コンテンツを生成する。より具体的には、情報管理システム１は、利用者情報を収集し、収集した利用者情報を所定のデータベースに登録する登録処理を情報管理システム１に実行させるための入力を受付けるためのモジュールを、登録コンテンツとして生成する。そして、情報管理システム１は、ログイン済みの利用者Ｕ０１が登録コンテンツを選択した場合は、利用者Ｕ０１が事前に登録した各種の情報を利用者情報として収集し、収集した利用者情報を所定のデータベースに登録する登録処理を実行する。また、情報管理システム１は、配信コンテンツのタイトルや説明文等を、配信コンテンツの情報（以下、「コンテンツ情報」と記載する。）として取得する。
【００２５】
そして、配信管理システム１は、配信コンテンツとコンテンツ情報とを、所定のウェブコンテンツとともに表示する表示情報として、利用者Ｕ０１の端末装置１００へと送信する。例えば、配信管理システム１は、利用者Ｕ０１が入力した検索クエリに対する検索結果を含むウェブコンテンツＣ１０とともに表示する表示情報として、コンテンツの情報と登録コンテンツとを配信する。
【００２６】
この結果、情報管理システム１は、コンテンツ情報と登録コンテンツとを含む表示情報をウェブコンテンツＣ１０とともに表示させる。例えば、端末装置１００は、ウェブコンテンツＣ１０が有する所定の表示枠Ｃ１１内に、表示情報を配置して表示する。
【００２７】
また、情報管理システム１は、登録コンテンツを介して利用者Ｕ０１の登録を受付けた場合は、利用者Ｕ０１の利用者情報を収集し、収集した利用者情報を所定の記憶装置に登録する。例えば、情報管理システム１は、ログイン等により利用者Ｕ０１が認証済みである場合は、認証済みの利用者Ｕ０１の利用者情報を収集し、収集した利用者情報を所定の記憶装置に登録する。
【００２８】
また、情報管理システム１は、ゲームの販売日等、配信コンテンツの利用に関する所定の条件が満たされた場合は、記憶装置に利用者情報が登録された利用者Ｕ０１の端末装置１００に対し、配信コンテンツの利用に関する情報を送信する。例えば、情報管理システム１は、配信コンテンツの提供日時となった場合には、配信コンテンツの利用が開始される旨のメッセージを端末装置１００に送信し、表示させる。
【００２９】
なお、情報管理システム１は、これらのメッセージ以外にも、例えば、配信コンテンツの利用開始日が延期になった旨や開発状況、各種クーポンや広告等のメッセージを、所定のタイミングで配信してもよい。また、情報管理システム１は、例えば、利用者Ｕ０１により配信コンテンツの利用に伴う料金の決済が行われた場合に、メッセージやコンテンツデータの配信を行ってもよい。
【００３０】
なお、情報管理システム１は、配信コンテンツの利用に関する情報のみならず、配信コンテンツそのものの配信を行ってもよい。例えば、情報管理システム１は、配信コンテンツがゲームのアプリケーションや、新作の音楽コンテンツ、映画コンテンツ等である場合は、所定の条件が満たされた際に、配信コンテンツのデータを端末装置１００に配信してもよい。
【００３１】
上述したように、情報管理システム１は、配信コンテンツの情報や事前登録を受付ける登録コンテンツを、所定のウェブコンテンツとともに表示する。このような処理の結果、情報管理システム１は、利用者Ｕ０１が配信コンテンツの存在を知っている場合はその配信コンテンツの情報とともにその場で事前登録を受付ける登録コンテンツを提供し、知らない場合であっても、利用者Ｕ０１が配信コンテンツに興味を有すると推定される場合には、利用者Ｕ０１に対して配信コンテンツの情報とともにその場で事前登録を受付ける登録コンテンツを提供することができる。このため、情報管理システム１は、配信コンテンツに関する情報を利用者Ｕ０１に提供するとともに、配信コンテンツに興味を持った利用者Ｕ０１がその場で事前登録を行うことを可能とするので、配信コンテンツの事前登録へ利用者Ｕ０１を誘導することができる。
【００３２】
また、情報管理システム１は、登録コンテンツ上で利用者Ｕ０１の事前登録を受付ける場合、事前登録を受付けるためのウェブコンテンツの作成の手間や配信の手間を削減することができる。この結果、情報管理システム１は、例えば、装置間のデータ通信量を削減することができる。
【００３３】
なお、上述した処理によって登録コンテンツを配信した場合、登録コンテンツを介して登録を行った利用者の数は、上述した処理によってコンバージョンへと至った利用者の数と見做すことができる。そこで、情報管理システム１は、所定の記憶装置に情報が登録された利用者の数に応じて、配信コンテンツの提供主（以下、ベンダーと記載する場合がある。）に請求する報酬額を算出する。そして、情報管理システム１は、算出した報酬額をベンダーに通知する。
【００３４】
なお、情報管理システム１は、ベンダーに対し、配信コンテンツの利用に関する登録を行った利用者Ｕ０１の利用者情報を提供してもよい。例えば、情報管理システム１は、利用者Ｕ０１のユーザ名、パスワード、属性情報、利用者Ｕ０１が入力した検索クエリ等を提供してもよい。このような情報は、どのような利用者が配信コンテンツに対して興味を有しているか、どのような利用者を事前登録へと誘導することができたかといった実績や、登録コンテンツを配信することによる効果を示す指標とすることができる。
【００３５】
〔１−３．情報管理処理の一例〕
次に、図１を用いて、情報管理システム１が実行する情報管理処理の一例について説明する。まず、端末装置１００は、利用者Ｕ０１から検索クエリとして「ゲーム＃１」の入力を受付けたものとする（ステップＳ１）。このような場合、端末装置１００は、検索クエリ「ゲーム＃１」を検索サーバ２００へと送信する（ステップＳ２）。
【００３６】
一方、検索サーバ２００は、検索クエリ「ゲーム＃１」と合致するウェブ検索の結果を取得するとともに、検索クエリ「ゲーム＃１」に基づいて、タグの埋め込みを判定する（ステップＳ３）。具体的には、検索サーバ２００は、検索クエリ「ゲーム＃１」が入力された際に登録コンテンツを配信する配信コンテンツが存在するか否かを判定し、存在すると判定した場合は、タグを埋め込むと判定する。なお、検索サーバ２００は、例えば、検索クエリ「ゲーム＃１」と名称と一致する配信コンテンツ以外にも、「ゲーム＃１」と関連性が所定の閾値よりも高い配信コンテンツや類似する配信コンテンツ等が存在するか否かを判定してもよい。
【００３７】
また、検索サーバ２００は、タグを埋め込むと判定した場合には、検索結果とともに登録コンテンツを表示する表示枠Ｃ１１と、広告枠Ｃ１２と、ウェブ検索の結果である検索結果Ｃ１３とが配置されたウェブコンテンツＣ１０を生成するとともに、取得した登録コンテンツを表示枠Ｃ１１内に配置して表示する旨の指示を含むタグをウェブコンテンツＣ１０に埋め込む。そして、検索サーバ２００は、ウェブコンテンツＣ１０を端末装置１００へと配信する（ステップＳ４）。なお、検索サーバ２００は、タグを埋め込まないと判定した場合は、広告枠Ｃ１２と検索結果Ｃ１３とが配置されたウェブコンテンツＣ１０を生成して配信する。
【００３８】
なお、以下の説明では、検索サーバ２００は、検索クエリ「ゲーム＃１」に対応する配信コンテンツを取得して表示枠Ｃ１１内に配置して表示させるために必要な各種の情報（例えば、配信コンテンツを示す情報）を含むタグをコンテンツＣ１０に埋め込むものとする。また、以下の説明では、検索サーバ２００は、検索クエリ「ゲーム＃１」や、利用者Ｕ０１の属性情報に基づいて広告コンテンツを取得し、取得した広告コンテンツを広告枠Ｃ１２に配置して表示させるために必要な各種の情報（例えば、検索クエリや属性情報）を含むタグをウェブコンテンツＣ１０に埋め込むものとする。なお、かかるタグは、例えば、Ｊａｖａ  Ｓｃｒｉｐｔ（登録商標）やＨＴＭＬ（Hyper  Text  Transfer  Protocol）５．０等により実現される。
【００３９】
また、端末装置１００は、ウェブコンテンツＣ１０を取得した場合は、ウェブコンテンツＣ１０に埋め込まれたタグに従い、登録コンテンツや広告コンテンツの取得を行う。まず、端末装置１００は、情報管理装置１０に対し、配信コンテンツを示す情報と共に登録コンテンツの取得要求を送信する（ステップＳ５）。このような場合、情報管理装置１０は、登録コンテンツを端末装置１００に配信する（ステップＳ６）。より具体的には、情報管理装置１０は、端末装置１００から受信した情報が示す配信コンテンツの情報と登録コンテンツとを含む表示情報を生成し、生成した表示情報を端末装置１００へと送信する。
【００４０】
また、端末装置１００は、広告サーバ４００に対して広告の配信を要求する広告リクエストを送信する（ステップＳ７）。このような場合、広告サーバ４００は、検索クエリや利用者Ｕ０１の属性情報に応じて選択された広告コンテンツを端末装置１００に配信する（ステップＳ８）。
【００４１】
そして、端末装置１００は、検索結果となるウェブコンテンツＣ１０上の広告枠Ｃ１２に広告コンテンツを配置し、所定の表示枠Ｃ１１に登録コンテンツを配置して表示する（ステップＳ９）。例えば、図１に示す例では、端末装置１００は、検索結果Ｃ１３を含む
ウェブコンテンツＣ１０の表示枠Ｃ１１に、表示情報Ｃ２０を配置して表示する。ここで、表示情報Ｃ２０には、「ゲーム＃１」の内容を示す画像Ｃ２１や説明文等のコンテンツ情報と、事前登録を受付けるためのボタンである登録コンテンツＣ２２とが含まれている。また、端末装置１００は、広告枠Ｃ１２に検索クエリ「ゲーム＃１」と対応する広告を配置する。そして、端末装置１００は、ウェブコンテンツＣ１０を表示する。この結果、端末装置１００は、利用者Ｕ０１がウェブ検索を行った際に、検索クエリに応じて選択された配信コンテンツの登録コンテンツを、検索結果とともに表示することができる。
【００４２】
ここで、端末装置１００は、利用者が登録コンテンツＣ２２をタップした場合（すなわち、選択した場合）には、登録コンテンツＣ２２が選択された旨を情報管理装置１０へと通知する（ステップＳ１０）。一方、情報管理装置１０は、利用者情報の通知を受付けた場合は、自装置が有する所定のデータベースに利用者情報を登録する登録処理を実行する（ステップＳ１１）。
【００４３】
例えば、情報管理装置１０は、ウェブ検索に関連するサービスに利用者Ｕ０１がログインしているか否かを判定し、利用者Ｕ０１がログインしている場合には、利用者Ｕ０１のユーザ名やパスワード等を利用者情報として取得する。一方、情報管理装置１０は、利用者Ｕ０１がログインしていない場合は、利用者情報の入力を受付けるためのウェブコンテンツを端末装置１００に表示させ、利用者Ｕ０１から利用者情報の入力を受付ける。なお、情報管理装置１０は、例えば、利用者Ｕ０１がログインしていない場合は、利用者情報の入力を受付けるウインドウをウェブコンテンツＣ１０の前面に重ねて表示させたり、表示枠Ｃ１１内に表示情報Ｃ２０を表示させたりすることで、表示するウェブコンテンツＣ１０の表示を遷移させることなく、利用者Ｕ０１の利用者情報を取得してもよい。そして、情報管理装置１０は、取得した利用者情報を所定のデータベースに登録する。
【００４４】
また、情報管理装置１０は、このようなデータベースに登録された利用者情報に基づいて、配信コンテンツのベンダーに請求される報酬を算出する。なお、情報管理装置１０は、データベースに登録された利用者情報をベンダーに通知してもよい。そして、情報管理装置１０は、利用者情報をメールサーバ３００へと通知する（ステップＳ１２）。
【００４５】
一方、メールサーバ３００は、通知された利用者情報を記憶するとともに、コンテンツの利用が開始された旨等、所定のメッセージの配信日時か否かを判定する（ステップＳ１３）。そして、メールサーバ３００は、所定の配信日時であると判定した場合は、コンテンツの利用開始を示すメッセージを端末装置１００に送信する（ステップＳ１４）。この結果、利用者Ｕ０１は、事前登録したコンテンツが利用可能となったことを知ることができる。
【００４６】
なお、上述した利用者情報を取得して通知する処理については、例えば、ウェブコンテンツＣ１０に埋め込まれたタグを実行した端末装置１００により実現されてもよく、端末装置１００がウェブ検索を行うために実行したアプリケーションにより実現されてもよい。このような場合、端末装置１００は、登録コンテンツＣ２２が選択された旨に代えて、取得した利用者情報を情報管理装置１０へと送信することとなる。
【００４７】
〔１−４．事前登録の効果について〕
ここで、利用者Ｕ０１による事前登録とは、単に利用者Ｕ０１に対して配信コンテンツの配信やサービスの提供が行われるといった事項に限定されるものではない。例えば、情報管理システム１は、インターネットを介して提供されるサービスやコンテンツの事前登録を行った利用者Ｕ０１の情報をベンダーに通知する。このような場合、ベンダーは、通知された利用者情報を用いて、サービスやコンテンツの初期登録等をあらかじめ設定しておく。この結果、利用者Ｕ０１は、サービスやコンテンツの提供が開始された際に、初期登録等を行わずとも、サービスやコンテンツの提供を受けることができる。
【００４８】
〔２．情報管理システムの構成〕
次に、図２を用いて、情報管理システム１が有する構成の一例について説明する。図２は、実施形態に係る情報管理システムが有する構成の一例を示す図である。図２に示す例では、情報管理システム１は、端末装置１００、検索サーバ２００、メールサーバ３００、広告サーバ４００、および情報管理装置１０を有する。
【００４９】
以下、このような情報管理システム１が有する端末装置１００、検索サーバ２００、メールサーバ３００、および情報管理装置１０が有する機能構成の一例について説明する。なお、広告サーバ４００が有する機能構成については、広告の配信を行う公知のサーバ装置やシステムが適用可能であるものとして、説明を省略する。
【００５０】
〔３．端末装置１００の構成〕
まず、図３を用いて、端末装置１００が有する機能構成の一例について説明する。図３は、実施形態に係る端末装置が有する機能構成の一例を示す図である。図３に示すように、端末装置１００は、通信部１１０、制御部１２０、記憶部１３０、入力部１４０、および表示部１５０を有する。
【００５１】
通信部１１０は、例えば、ＮＩＣ（Network  Interface  Card）等によって実現される。そして、通信部１１０は、ネットワークＮと有線または無線で接続され、検索サーバ２００、メールサーバ３００、広告サーバ４００、および情報管理装置１０との間で情報の送受信を行う。
【００５２】
制御部１２０は、コントローラ（controller）であり、例えば、ＣＰＵ（Central  Processing  Unit）、ＭＰＵ（Micro  Processing  Unit）等のプロセッサによって、端末装置１００内部の記憶装置に記憶されている各種プログラムがＲＡＭ等を作業領域として実行されることにより実現される。また、制御部１２０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００５３】
記憶部１３０は、例えば、ＲＡＭ（Random  Access  Memory)、フラッシュメモリ（Flash  Memory）等の半導体メモリ素子、または、ハードディスク、光ディスク等の記憶装置によって実現され、端末装置１００内で実行されるアプリケーション等のプログラムやデータが記録される。また、記憶部１３０は、端末装置１００がプログラムを実行する際に作業領域として用いられてもよい。
【００５４】
入力部１４０は、利用者から各種操作を受け付ける入力装置である。例えば、入力部１４０は、タッチパネル等により実現される。表示部１５０は、各種情報を表示するための表示装置、すなわち画面であり、液晶ディスプレイ等によって実現される。なお、入力部１４０および表示部１５０は、一体化されていてもよい。
【００５５】
ここで、制御部１２０は、要求部１２１、取得部１２２、および表示制御部１２３を有し、以下に説明する情報処理の機能や作用を実現または実行する。要求部１２１は、ウェブコンテンツＣ１０の配信を要求する。例えば、要求部１２１は、利用者が入力した検索クエリを検索サーバ２００へと送信することで、ウェブコンテンツＣ１０の配信を要求する。なお、要求部１２１は、ウェブ検索の結果や配信コンテンツの選択を行うため、利用者Ｕ０１の利用者情報や、端末装置１００の現在位置等、各種の情報を送信してもよい。
【００５６】
取得部１２２は、登録コンテンツを取得する。例えば、取得部１２２は、ウェブコンテンツＣ１０に埋め込まれたタグを解析または実行することで、情報管理装置１０に登録コンテンツの配信を要求する。より具体的には、取得部１２２は、後述するコンテンツＩＤ（Identifier）をタグから抽出し、抽出したコンテンツＩＤを情報管理装置１０へと送信することで、コンテンツＩＤが示す配信コンテンツのコンテンツ情報や登録コンテンツの送信を要求する。また、取得部１２２は、広告サーバ４００に広告コンテンツのリクエストを送信し、広告コンテンツを取得する。
【００５７】
表示制御部１２３は、利用者に関する情報に基づいて選択された配信コンテンツのコンテンツ情報と、配信コンテンツの利用に関する登録を受付けるための登録コンテンツとを、利用者の入力に対する応答として表示されるウェブコンテンツＣ１０とともに表示する。例えば、表示制御部１２３は、ウェブコンテンツＣ１０の広告枠Ｃ１２に広告コンテンツを配置するとともに、ウェブコンテンツＣ１０の表示枠Ｃ１１に、配信コンテンツのコンテンツ情報と登録コンテンツとを含む表示情報を配置し、ウェブコンテンツＣ１０を表示部１５０に表示させる。そして、表示制御部１２３は、利用者Ｕ０１が登録コンテンツＣ２２を選択した場合は、登録コンテンツＣ２２が選択された旨を情報管理装置１０へと送信する。
【００５８】
〔４．検索サーバ２００の構成〕
次に、図４を用いて、検索サーバ２００が有する機能構成の一例について説明する。図４は、実施形態に係る検索サーバが有する機能構成の一例を示す図である。図４に示すように、検索サーバ２００は、通信部２１０、制御部２２０、および記憶部２３０を有する。
【００５９】
通信部２１０は、例えば、ＮＩＣ等によって実現される。そして、通信部２１０は、ネットワークＮと有線または無線で接続され、端末装置１００、メールサーバ３００、広告サーバ４００、および情報管理装置１０との間で情報の送受信を行う。
【００６０】
制御部２２０は、コントローラであり、例えば、ＣＰＵ、ＭＰＵ等のプロセッサによって、検索サーバ２００内部の記憶装置に記憶されている各種プログラムがＲＡＭ等を作業領域として実行されることにより実現される。また、制御部２２０は、コントローラであり、例えば、ＡＳＩＣやＦＰＧＡ等の集積回路により実現されてもよい。
【００６１】
記憶部２３０は、例えば、ＲＡＭ、フラッシュメモリ等の半導体メモリ素子、または、ハードディスク、光ディスク等の記憶装置によって実現され、検索サーバ２００内で実行されるアプリケーション等のプログラムやデータが記録される。また、記憶部２３０は、検索サーバ２００がプログラムを実行する際に作業領域として用いられてもよい。
【００６２】
ここで、記憶部２３０は、埋め込み対象データベース２３１を有する。埋め込み対象データベース２３１は、どのような検索クエリを受信した際に配信コンテンツの登録コンテンツを表示させるかを判定するための情報が登録されている。例えば、埋め込み対象データベース２３１には、検索クエリと、かかる検索クエリを受信した際に登録コンテンツを表示させる配信コンテンツのコンテンツＩＤとが対応付けて登録されている。
【００６３】
ここで、制御部２２０は、検索要求受付部２２１、判定部２２２、および検索結果提供部２２３を有し、以下に説明する情報処理の機能や作用を実現または実行する。検索要求受付部２２１は、検索要求として検索クエリを受信すると、受信した検索クエリに合致するウェブ上のコンテンツを収集する。すなわち、検索要求受付部２２１は、所謂ウェブ検索を実行する。なお、検索要求受付部２２１は、利用者Ｕ０１の属性情報等に基づいて、ウェブ検索を表示する順序を変更してもよい。
【００６４】
判定部２２２は、登録コンテンツを表示させるタグの埋め込みを判定する。例えば、判定部２２２は、埋め込み対象データベース２３１を参照し、検索要求として受信した検索クエリと対応付けられたコンテンツＩＤが登録されているか否かを判定する。そして、判定部２２２は、検索要求として受信した検索クエリと対応付けられたコンテンツＩＤが登録されていない場合は、タグを埋め込まないと判定し、検索要求として受信した検索クエリと対応付けられたコンテンツＩＤが登録されている場合は、タグを埋め込むと判定する。
【００６５】
すなわち、判定部２２２は、利用者Ｕ０１が入力した検索クエリに対応する配信コンテンツが存在するかを判定し、存在する場合は、かかる配信コンテンツの利用に関する登録を受付けるための登録コンテンツを表示させるタグをウェブコンテンツＣ１０に埋め込むと判定する。なお、判定部２２２は、検索クエリのみならず、属性情報等、任意の利用者情報に基づいて、タグの埋め込みを判定してよい。
【００６６】
検索結果提供部２２３は、検索結果を含むウェブコンテンツＣ１０を提供する。例えば、検索結果提供部２２３は、登録コンテンツを表示させるタグを埋め込むと判定部２２２が判定した場合は、検索要求受付部２２１によるウェブ検索の結果を含むとともに、端末装置１００に対し、広告コンテンツや登録コンテンツを取得して表示枠Ｃ１１や広告枠Ｃ１２に配置して表示させるためのタグをウェブコンテンツＣ１０に埋め込む。かかるタグには、登録コンテンツの配信対象となる配信コンテンツのコンテンツＩＤ（すなわち、検索クエリと対応付けて埋め込み対象データベース２３１に登録されていたコンテンツＩＤ）や、利用者Ｕ０１の属性等が含まれている。そして、検索結果提供部２２３は、ウェブコンテンツＣ１０を検索結果として端末装置１００へと送信する。
【００６７】
〔５．情報管理装置１０の構成〕
次に、図５を用いて、情報管理装置１０が有する機能構成の一例について説明する。図５は、実施形態に係る情報管理装置が有する機能構成の一例を示す図である。図５に示すように、情報管理装置１０は、通信部２０、記憶部３０、および制御部４０を有する。
【００６８】
通信部２０は、例えば、ＮＩＣ等によって実現される。そして、通信部２０は、ネットワークＮと有線または無線で接続され、端末装置１００、検索サーバ２００、メールサーバ３００、および広告サーバ４００との間で情報の送受信を行う。
【００６９】
記憶部３０は、例えば、ＲＡＭ、フラッシュメモリ等の半導体メモリ素子、または、ハードディスク、光ディスク等の記憶装置によって実現され、情報管理装置１０内で実行されるアプリケーション等のプログラムやデータが記録される。また、記憶部３０は、情報管理装置１０がプログラムを実行する際に作業領域として用いられてもよい。
【００７０】
ここで、記憶部３０は、登録コンテンツデータベース３１および利用者データベース３２を有する。登録コンテンツデータベース３１は、各種配信コンテンツの登録コンテンツが登録されている。例えば、図６は、実施形態に係る登録コンテンツデータベースに登録される情報の一例を示す図である。図６に示す例では、登録コンテンツデータベース３１には、「コンテンツＩＤ」、「画像」、「説明文」、「登録コンテンツ」等といった項目を有する情報が登録されている。
【００７１】
ここで、「コンテンツＩＤ」とは、配信コンテンツを識別するための情報である。また「画像」とは、登録コンテンツとともに表示される画像であって配信コンテンツに関連する画像、すなわち、配信コンテンツのコンテンツ情報である。また、「説明文」とは、配信コンテンツの説明文であり、配信コンテンツのコンテンツ情報である。また「登録コンテンツ」とは、コンテンツ情報とともに表示情報として配信されるコンテンツであって、利用者の事前登録を受付けるための各種モジュールである。
【００７２】
例えば、図６に示す例では、登録コンテンツデータベース３１には、コンテンツＩＤ「ＩＤ＃１」、画像「画像＃１」、説明文「説明文＃１」、登録コンテンツ「登録コンテンツ＃１」といった情報が対応付けて登録されている。このような情報は、コンテンツＩＤ「ＩＤ＃１」が示す配信コンテンツの画像が画像「画像＃１」であり、説明文が説明文「説明文＃１」である旨を示す。また、このような情報は、コンテンツＩＤ「ＩＤ＃１」が示す配信コンテンツの登録コンテンツが登録コンテンツ「登録コンテンツ＃１」である旨を示す。
【００７３】
なお、図６に示す情報以外にも、登録コンテンツデータベース３１には、登録コンテンツに関する任意の情報が登録されていてもよい。また、図６に示す例では、「画像＃１」、「説明文＃１」、「登録コンテンツ＃１」等といった概念的な値について記載したが、実際には、登録コンテンツデータベース３１には、各種のフォーマットの画像データ、テキストデータ、Ｊａｖａ  ＳｃｒｉｐｔやＨＴＭＬ等によって記述されたデータ等が登録されているものとする。
【００７４】
図５に戻り、利用者データベース３２には、事前登録を行った利用者の利用者情報が登録されている。例えば、図７は、実施形態に係る利用者データベースに登録される情報の一例を示す図である。図７に示す例では、利用者データベース３２には、「利用者ＩＤ」、「ユーザ名」、「端末装置ＩＤ」、「登録コンテンツＩＤ」、「検索クエリ」、「自動配信」、「登録日時」といった項目を有する情報が登録されている。
【００７５】
ここで、「利用者ＩＤ」とは、利用者を識別するための識別子である。また、「ユーザ名」とは、利用者ＩＤが示す利用者のユーザ名を示す情報である。また、「端末装置ＩＤ」とは、利用者ＩＤが示す利用者が使用する端末装置を示す情報である。また、「登録コンテンツＩＤ」とは、利用者が事前登録を行った配信コンテンツのコンテンツＩＤである。また、「検索クエリ」とは、利用者が事前登録を行った際に入力した検索クエリを示す情報である。また、「自動配信」とは、配信コンテンツの配信を自動的に行うか否かを示す情報である。また、「登録日時」とは、利用者が事前登録を行った日時を示す情報である。
【００７６】
例えば、図７に示す例では、利用者ＩＤ「利用者＃１」、ユーザ名「ユーザ＃１」、端末装置ＩＤ「端末装置＃１」、登録コンテンツＩＤ「ＩＤ＃１」、検索クエリ「検索クエリ＃１」、自動配信「有り」、登録日時「2016/09/15/10：15」等といった情報が登録されている。このような情報は、利用者ＩＤ「利用者＃１」が示す利用者が事前登録を行っっており、かかる利用者のユーザ名がユーザ名「ユーザ＃１」であり、かかる利用者が使用する端末装置が、端末装置ＩＤ「端末装置＃１」が示す端末装置であり、登録コンテンツＩＤ「ＩＤ＃１」が示す配信コンテンツの事前登録を行った旨を示す。また、このような情報は、事前登録を行った際、利用者が検索クエリ「検索クエリ＃１」を入力しており、登録日時「2016/09/15/10：15」に事前登録を行った旨を示す。また、このような情報は、配信コンテンツが利用可能となった際に、配信コンテンツを端末装置ＩＤ「端末装置＃１」が示す端末装置へと自動的に配信する旨を示す。
【００７７】
なお、利用者データベース３２には、図７に示す情報以外にも、利用者情報や利用者が事前登録を行った配信コンテンツに関する任意の情報が登録されていてもよい。また、図７に示す例では、「利用者＃１」、「ユーザ＃１」、「端末装置＃１」等といった概念的な値について記載したが、実際には、利用者データベース３２には、利用者情報となる各種の数値やテキストデータ等が登録されることとなる。
【００７８】
図５に戻り、説明を続ける。制御部４０は、コントローラであり、例えば、ＣＰＵ、ＭＰＵ等のプロセッサによって、情報管理装置１０内部の記憶装置に記憶されている各種プログラムがＲＡＭ等を作業領域として実行されることにより実現される。また、制御部１４０は、コントローラであり、例えば、ＡＳＩＣやＦＰＧＡ等の集積回路により実現されてもよい。
【００７９】
ここで、制御部４０は、抽出部４１、配信部４２、登録部４３、算出部４４、および提供部４５を有し、以下に説明する情報処理の機能や作用を実現または実行する。抽出部４１は、登録コンテンツの取得要求を受信した場合には、登録コンテンツデータベース３１から配信する登録コンテンツを抽出する。例えば、抽出部４１は、検索サーバ２００によって事前予約を行う対象となる配信コンテンツのコンテンツＩＤを端末装置１００から受信する。このような場合、抽出部４１は、登録コンテンツデータベース３１から、受信したコンテンツＩＤと対応付けられたコンテンツ情報（例えば、画像や説明文）と登録コンテンツとを抽出する。
【００８０】
配信部４２は、利用者Ｕ０１に関する情報に基づいて選択された配信コンテンツの情報と、配信コンテンツの利用に関する登録を受付けるための登録コンテンツとを、所定のウェブコンテンツＣ１０とともに表示する表示情報として、利用者Ｕ０１が使用する端末装置１００に配信する。例えば、配信部４２は、検索サーバ２００が利用者Ｕ０１の検索クエリに基づいて選択した配信コンテンツのコンテンツ情報と、配信コンテンツの利用に関する登録を受付けるための登録コンテンツとを抽出部４１から受付ける。このような場合、配信部４２は、受付けたコンテンツ情報と登録コンテンツとを、ウェブコンテンツＣ１０とともに表示する表示情報として、端末装置１００へと送信する。
【００８１】
すなわち、配信部４２は、検索サーバ２００が、利用者が入力した検索クエリや利用者情報に基づいて選択した配信コンテンツの登録コンテンツやコンテンツ情報を、検索クエリに対する検索結果を含むウェブコンテンツＣ１０中に表示する表示情報として配信する。この結果、端末装置１００は、ウェブ検索の結果を含むウェブコンテンツＣ１０の表示枠Ｃ１１に、ウェブ検索の検索クエリや利用者Ｕ０１の属性に基づいて選択された配信コンテンツのコンテンツ情報や登録コンテンツを表示することができる。
【００８２】
登録部４３は、登録コンテンツを介して利用者Ｕ０１の登録を受付けた場合は、利用者Ｕ０１の利用者情報を所定の記憶装置に登録する。具体的には、登録部４３は、登録コンテンツＣ２２が選択された旨の通知を端末装置１００から受付けた場合は、利用者Ｕ０１の利用者情報を収集する。例えば、登録部４３は、認証済みの利用者Ｕ０１が登録コンテンツを選択した場合は、認証された利用者Ｕ０１のユーザ名やパスワード等を利用者情報として収集する。また、登録部４３は、利用者Ｕ０１が認証済みではない場合は、事前登録を受付けるためのウインドウやウェブコンテンツＣ１０を端末装置１００に表示させ、利用者Ｕ０１から利用者情報の登録を受付ける。
【００８３】
そして、登録部４３は、例えば、ユーザ名やパスワード、利用者Ｕ０１が利用する端末装置１００の端末装置ＩＤ、利用者Ｕ０１が入力した検索クエリ、事前登録を行った配信コンテンツのコンテンツＩＤ、登録日時等、各種の利用者情報を利用者データベース３２に登録する。また、登録部４３は、配信コンテンツの種別が音楽コンテンツや動画像コンテンツである場合や、配信コンテンツのデータ量が所定の閾値よりも低い場合は、自動配信の値を「有り」に設定する。なお、登録部４３は、端末装置１００から各種の利用者情報を受信した場合は、受信した利用者情報を利用者データベース３２に登録する。
【００８４】
ここで、登録部４３は、所定のタイミングで、利用者データベース３２に登録された利用者情報、すなわち、事前登録を行った利用者の利用者情報をメールサーバ３００へと送信する。より具体的には、登録部４３は、利用者データベース３２に登録された情報をメールサーバ３００へと送信する。
【００８５】
算出部４４は、所定の記憶装置に情報が登録された利用者の数に応じた報酬額を算出する。より具体的には、算出部４４は、報酬額として、配信コンテンツの提供主であるベンダーに請求する額を算出する。例えば、算出部４４は、所定のタイミングで利用者データベース３２を参照し、所定の登録コンテンツＩＤと対応付けられた利用者の数を計数する。そして、算出部４４は、計数した数に基づいた報酬額、すなわち、ウェブコンテンツＣ１０中に登録コンテンツを表示することで事前登録へと誘導した利用者の数に基づいた報酬額を算出する。そして、算出部４４は、算出した報酬額を所定の登録コンテンツＩＤが示す配信コンテンツのベンダーに対して通知する。
【００８６】
提供部４５は、表示情報として情報が配信された配信コンテンツの提供主に対し、その配信コンテンツの利用に関する登録を行った利用者の情報と、利用者が入力した検索クエリを示す情報とを提供する。例えば、提供部４５は、所定のタイミングで利用者データベース３２を参照し、所定の登録コンテンツＩＤと対応付けられた利用者の利用者情報や検索クエリ等を収集する。そして、提供部４５は、所定の登録コンテンツＩＤが示す配信コンテンツのベンダーに対して、収集した利用者情報や検索クエリを通知する。
【００８７】
〔６．メールサーバ３００の構成〕
次に、図８を用いて、メールサーバ３００が有する機能構成の一例について説明する。図８は、実施形態に係るメールサーバが有する機能構成の一例を示す図である。図８に示すように、メールサーバ３００は、通信部３１０、記憶部３２０、および制御部３３０を有する。
【００８８】
通信部３１０は、例えば、ＮＩＣ等によって実現される。そして、通信部３１０は、ネットワークＮと有線または無線で接続され、情報管理装置１０、端末装置１００、検索サーバ２００、および広告サーバ４００との間で情報の送受信を行う。
【００８９】
記憶部３２０は、例えば、ＲＡＭ、フラッシュメモリ等の半導体メモリ素子、または、ハードディスク、光ディスク等の記憶装置によって実現され、メールサーバ３００内で実行されるアプリケーション等のプログラムやデータが記録される。また、記憶部３２０は、メールサーバ３００がプログラムを実行する際に作業領域として用いられてもよい。
【００９０】
ここで、記憶部３２０は、送信対象データベース３２１を記憶する。送信対象データベース３２１は、所定のタイミングでメッセージを送信する対象となる利用者、すなわち、事前登録を行った利用者の利用者情報が格納される。なお、送信対象データベース３２１に登録されている情報は、図７に示す利用者データベース３２と同様のデータが登録されるものとして、説明を省略する。
【００９１】
ここで、制御部３３０は、受付部３３１および送信部３３２を有する。受付部３３１は、情報管理装置１０から、メッセージの送信先となる利用者の利用者情報を受付ける。このような場合、受付部３３１は、利用者情報を送信対象データベース３２１に登録する。
【００９２】
送信部３３２は、配信コンテンツの利用に関する所定の条件が満たされた場合は、記憶装置に登録された利用者に対し、配信コンテンツの利用に関する情報を送信する。例えば、送信部３３２は、配信コンテンツに関するサービスの提供が開始されたか否かを配信コンテンツごとに判定する。そして、送信部３３２は、サービスの提供が開始されたと判定した場合は、判定対象に関する配信コンテンツのコンテンツＩＤと対応付けられた端末装置ＩＤが示す端末装置に対して、サービスの開始を示すメッセージを送信する。
【００９３】
なお、メールサーバ３００は、配信コンテンツのデータをあらかじめ保持しておき、所定の条件が満たされた場合は、配信コンテンツのデータを送信してもよい。例えば、送信部３３２は、サービスの提供が開始された配信コンテンツのコンテンツデータを、自動送信「有り」と対応付けられた端末装置ＩＤが示す端末装置に対して送信してもよい。
【００９４】
〔７．情報管理処理の一例〕
次に、図９、図１０を用いて、実施形態に係る情報管理システム１が実行する情報管理処理の流れの一例について説明する。図９は、実施形態に係る情報管理システムが登録コンテンツを送信する処理の流れの一例を示すフローチャートである。また、図１０は、実施形態に係る情報管理システムが登録コンテンツを介した事前登録を受付ける処理の流れの一例を示すフローチャートである。
【００９５】
まず、図９を用いて、情報管理システム１が登録コンテンツを送信する処理の流れの一例を説明する。まず、情報管理システム１は、検索クエリを受信したか否かを判定し（ステップＳ１０１）、受信していない場合は（ステップＳ１０１：Ｎｏ）、受信するまで待機する。また、情報管理システム１は、検索クエリを受信した場合は（ステップＳ１０１：Ｙｅｓ）、検索クエリに対応するウェブ検索の結果を検索結果、すなわち、ウェブコンテンツＣ１０として生成する（ステップＳ１０２）。
【００９６】
ここで、情報管理システム１は、検索クエリに合致する配信コンテンツが存在するか否かを判定し（ステップＳ１０３）、存在する場合は（ステップＳ１０３：Ｙｅｓ）、検索クエリに合致する配信コンテンツの登録コンテンツを取得させるためのタグを検索結果に埋め込む（ステップＳ１０４）。そして、情報管理システム１は、検索結果を端末装置１００へと送信し（ステップＳ１０５）、処理を終了する。一方、情報管理システム１は、検索クエリに合致する配信コンテンツが存在しない場合は（ステップＳ１０３：Ｎｏ）、ステップＳ１０４の実行をスキップしてステップＳ１０５を実行し、処理を終了する。
【００９７】
次に、図１０を用いて、情報管理システム１が登録コンテンツを介した事前登録を受付ける処理の流れの一例を示すフローチャートである。例えば、情報管理システム１が有する情報管理装置１０は、登録コンテンツの配信要求として、コンテンツＩＤを端末装置１００から受信したか否かを判定し（ステップＳ２０１）、受信していない場合は（ステップＳ２０１：Ｎｏ）、受信するまで待機する。
【００９８】
また、情報管理装置１０は、コンテンツＩＤを受信した場合は（ステップＳ２０１：Ｙｅｓ）、受信したコンテンツＩＤに対応する登録コンテンツを配信コンテンツのコンテンツ情報とともに配信する（ステップＳ２０２）。続いて、情報管理装置１０は、利用者情報を端末装置１００から受信したか否かを判定し（ステップＳ２０３）、受信した場合は（ステップＳ２０３：Ｙｅｓ）、利用者情報を利用者データベース３２に登録する（ステップＳ２０４）。
【００９９】
また、情報管理装置１０は、利用者データベース３２に登録された利用者情報をメールサーバ３００に通知する（ステップＳ２０５）。また、情報管理装置１０は、事前登録を行った利用者、すなわち、利用者データベース３２に利用者情報が登録された利用者の数に基づく報酬額を算出し（ステップＳ２０６）、算出した報酬額をログ、すなわち、利用者情報や利用者が入力した検索クエリ等とともにベンダーに通知して（ステップＳ２０７）、処理を終了する。一方、情報管理装置１０は、利用者情報を受信しなかった場合は（ステップＳ２０３：Ｎｏ）、処理を終了する。
【０１００】
〔８．変形例〕
上述した実施形態に係る情報管理システム１は、上記実施形態以外にも種々の異なる形態にて実施されてよい。そこで、以下では、上記の情報管理システム１の他の実施形態について説明する。
【０１０１】
〔８−１．登録コンテンツを表示するタイミングについて〕
上述した情報管理システム１は、利用者Ｕ０１がウェブ検索を行った際に、検索クエリと対応する配信コンテンツの登録コンテンツを表示した。しかしながら、実施形態は、これに限定されるものではない。例えば、情報管理システム１は、利用者Ｕ０１が所定のウェブサイト等でリンクを選択した際に、選択したリンクに応じた配信コンテンツや利用者Ｕ０１の属性に応じた配信コンテンツを選択し、選択した配信コンテンツの登録コンテンツを配信してもよい。また、情報管理システム１は、例えば、利用者Ｕ０１が入力した検索クエリや利用者Ｕ０１が入力したテキスト、利用者Ｕ０１が入力した操作、利用者Ｕ０１の属性情報、利用者Ｕ０１が閲覧しているウェブコンテンツの内容等、利用者Ｕ０１に関する任意の情報を用いて、利用者Ｕ０１に対して配信する配信コンテンツを選択する。
【０１０２】
そして、情報管理システム１は、選択した配信コンテンツに関する登録コンテンツを、広告コンテンツと同様の手法によって配信してもよい。すなわち、情報管理システム１は、ウェブ検索以外にも、利用者の入力（リンクの選択やＵＲＬ（Uniform  Resource  Locator）の入力等）に応じて表示される任意のウェブコンテンツとともに、登録コンテンツの表示を行ってよい。このような処理を実行した場合にも、情報管理システム１は、利用者が所定のウェブコンテンツを閲覧する際に、広告コンテンツとして登録コンテンツを表示させることができるので、利用者を事前登録に誘導することができる。
【０１０３】
〔８−２．メッセージについて〕
また、情報管理システム１は、任意のタイミングで任意のメッセージを事前登録した利用者に対して提供してもよい。例えば、情報管理システム１は、「サービス開始まであと５日！」等といった、サービス開始までの日時を示すメッセージを、所定の時間に送信してもよい。なお、情報管理システム１は、いわゆる電子メールのみならず、ＳＭＳ（Short  Message  Service）を介したメッセージの送信や、所定のマイクロブログ等にメッセージを投稿することで、特定の利用者にメッセージの送信を行ってもよい。
【０１０４】
また、例えば、情報管理システム１は、ウェブコンテンツＣ１０上で、利用者Ｕ０１に対する通知を行ってもよい。より具体的には、検索サーバ２００は、検索クエリを受信した際に利用者Ｕ０１の利用者情報を取得し、取得した利用者情報をメールサーバ３００に送信する。このような場合、メールサーバ３００は、利用者Ｕ０１が事前登録を行っており、かつ、事前登録が行われた配信コンテンツの利用に関する所定の条件が満たされているか否かを判定する。
【０１０５】
そして、メールサーバ３００は、利用者Ｕ０１が事前登録を行っており、かつ、事前登録が行われた配信コンテンツの利用に関する所定の条件が満たされている場合は、利用者Ｕ０１に対するメッセージを検索サーバ１０へと送信する。そして、検索サーバ１０は、メッセージをメールサーバ３００から受信した場合は、ウェブコンテンツＣ１０上にメールサーバ３００から受信したメッセージを配置して、端末装置１００へとウェブコンテンツＣ１０を配信する。
【０１０６】
〔８−３．配信コンテンツについて〕
ここで、情報管理システム１は、ゲーム、音楽コンテンツ若しくは動画コンテンツ等、ネットワークＮを介して提供可能なコンテンツのみならず、任意のコンテンツについての登録コンテンツを配信してもよい。すなわち、情報管理システム１は、利用に際して利用者情報の登録が必要になるコンテンツであれば、任意のコンテンツについて登録コンテンツを配信してよい。例えば、情報管理システム１は、ゲーム等のアプリケーションを利用するためのユーザ登録を受付けるための登録コンテンツを配信してもよく、音楽や動画像（映画やアニメーション等）等といったコンテンツを視聴または閲覧するためのユーザ登録を受付けるための登録コンテンツを配信してもよい。
【０１０７】
また、例えば、情報管理システム１は、映画館や各種劇場、スタジアム等の席予約を行うための登録コンテンツを配信してもよい。すなわち、情報管理装置１０は、実社会において提供されるサービス等を含むコンテンツの利用に関する利用者の登録を受付ける登録コンテンツを配信してよい。なお、情報管理システム１は、実際に提供が開始されているコンテンツのみならず、提供が開始される前のコンテンツについて、そのコンテンツの利用に関する登録を受付けるための登録コンテンツ、すなわち、事前登録を受け付けるための登録コンテンツの配信を行ってもよい。
【０１０８】
また、情報管理システム１は、事前登録を受付けるためのウェブコンテンツへのリンクが設定された画像を登録コンテンツとして生成してもよく、ユーザ名やパスワード等の入力を受付けるコンテンツを登録コンテンツとして生成してもよい。すなわち、情報管理システム１は、登録コンテンツそのものを介して利用者Ｕ０１の事前登録を受付けてもよく、登録コンテンツを介して利用者Ｕ０１に提供される他のコンテンツを介して、利用者Ｕ０１の事前登録を受付けてもよい。
【０１０９】
〔８−４．認証について〕
上述した例では、情報管理システム１は、ウェブ検索に関するサービスに利用者Ｕ０１がログインしている場合は、ログインした利用者Ｕ０１の利用者情報を取得して、事前登録に用いていた。しかしながら、実施形態は、これに限定されるものではない。すなわち、情報管理システム１は、ウェブ検索に関するサービス以外にも、利用者Ｕ０１がログインした任意のサービスから、利用者Ｕ０１の利用者情報を収集してもよい。
【０１１０】
また、例えば、端末装置１００は、各種サービスへのログインを容易にするため、利用者Ｕ０１の各種アカウントやパスワードを保持している場合がある。このような場合、情報管理システム１は、端末装置１００からアカウントやパスワードを取得し、取得したアカウントやパスワードを用いて、利用者Ｕ０１の利用者情報を取得し、取得した利用者情報を用いて、事前登録を完了させてもよい。また、情報管理システム１は、例えば、ＯＡｕｔｈ等の技術を用いて、利用者Ｕ０１の利用者情報を取得してもよい。
【０１１１】
〔８−５．その他〕
また、上記実施形態において説明した各処理のうち、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１１２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、メールサーバ３００を情報管理装置１０に統合して構成することができる。
【０１１３】
〔８−６．ハードウェア構成〕
また、上述してきた実施形態に係る情報管理装置１０、端末装置１００、検索サーバ２００、メールサーバ３００、および広告サーバ４００等は、例えば図１１に示すような構成のコンピュータ１０００によって実現される。図１１は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１１４】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ（Read  Only  Memory）、ＨＤＤ、フラッシュメモリ等により実現される。
【０１１５】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１１６】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１１７】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１１８】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１１９】
例えば、コンピュータ１０００が情報管理装置１０として機能する場合、コンピュータ１０００の演算装置１０３０は、一次記憶装置１０４０上にロードされたプログラムを実行することにより、制御部４０の機能を実現する。また、二次記憶装置１０５０上には、記憶部３０内の各データベース３１〜３２が格納される。
【０１２０】
〔９．効果〕
上述したように、情報管理システム１は、所定のウェブコンテンツとともに表示される情報として、利用者Ｕ０１に関する利用者情報に基づいて選択された配信コンテンツの情報と、配信コンテンツの利用に関する登録を受付けるための登録コンテンツとを、利用者Ｕ０１が使用する端末装置１００に配信する。また、情報管理システム１は、登録コンテンツを介して利用者Ｕ０１の登録を受付けた場合は、利用者Ｕ０１の利用者情報を登録する。そして、情報管理システム１は、配信コンテンツの利用に関する所定の条件が満たされた場合は、利用者情報が登録された利用者Ｕ０１の端末装置１００に対し、配信コンテンツの利用に関する情報を送信する。
【０１２１】
このように、情報管理システム１は、利用者Ｕ０１の入力に応じたウェブコンテンツＣ１０と共に、配信コンテンツの利用に関する登録を受付けるための登録コンテンツを表示し、利用者の登録を受付ける。この結果、情報管理システム１は、例えば、配信コンテンツに興味を有すると推定される利用者が、その配信コンテンツを知らない場合にも、その利用者がウェブコンテンツを閲覧する際にそのまま登録を行える登録コンテンツを表示することができる。この結果、情報管理システム１は、利用者Ｕ０１を登録へと誘導することができる。
【０１２２】
また、情報管理システム１は、利用者Ｕ０１が入力した検索クエリに対する検索結果を含むウェブコンテンツＣ１０と共に表示する情報として、利用者情報に基づいて選択された配信コンテンツのコンテンツ情報と登録コンテンツとを配信する。この結果、情報管理システム１は、ポータルサイトや検索サイト等、誘導対象となる利用者が流入しやすいウェブサイト上で登録コンテンツを表示することができるので、より多くの利用者を登録へと誘導することができる。
【０１２３】
また、情報管理システム１は、利用者Ｕ０１が入力した検索クエリに基づいて選択された配信コンテンツの情報と、配信コンテンツに関する登録を受付けるための登録コンテンツとを表示情報として配信する。このため、情報管理システム１は、より多くの利用者を登録へと誘導することができる。
【０１２４】
また、情報管理システム１は、配信コンテンツの提供主であるベンダーに対し、配信コンテンツの利用に関する登録を行った利用者Ｕ０１の利用者情報を提供する。このため、情報管理システム１は、ベンダーに対し、配信コンテンツに対して興味を有する利用者がどのような利用者であるか、どのような検索時に配信コンテンツに興味を持った等といった情報を提供することができる。
【０１２５】
また、情報管理システム１は、認証済みの利用者Ｕ０１が登録コンテンツを選択した場合は、認証済みの利用者Ｕ０１の利用者情報を収集し、収集した利用者情報を所定の記憶装置に登録する。このため、情報管理システム１は、登録時に生じる利用者情報の入力の手間を削減することができるので、より多くの利用者を登録へと誘導することができる。
【０１２６】
また、情報管理システム１は、所定の記憶装置に情報が登録された利用者Ｕ０１の数に応じて、コンテンツの提供主であるベンダーに請求する報酬額を算出する。このため、情報管理システム１は、配信コンテンツの利用に関する登録まで誘導した利用者の数に応じた課金を実現することができる。
【０１２７】
また、情報管理システム１は、配信コンテンツの利用に関する所定の条件が満たされた場合は、配信コンテンツを送信する。このため、情報管理システム１は、配信コンテンツの取得に伴う手間を削減する結果、より多くの利用者に配信コンテンツを利用させることができる。
【０１２８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２９】
また、上記してきた「部（section、module、unit）」は、「手段」や「回路」などに読み替えることができる。例えば、配信部は、配信手段や配信回路に読み替えることができる。
【符号の説明】
【０１３０】
１  情報管理システム
１０  情報管理装置
２０、１１０、２１０、３１０  通信部
３０、１３０、２３０、３２０  記憶部
３１  登録コンテンツデータベース
３２  利用者データベース
４０、１２０、２２０、３３０  制御部
４１  抽出部
４２  配信部
４３  登録部
４４  算出部
４５  提供部
１００  端末装置
１２１  要求部
１２２  取得部
１２３  表示制御部
１４０  入力部
１５０  表示部
２００  検索サーバ
２３１  埋め込み対象データベース
２２１  検索要求受付部
２２２  判定部
２２３  検索結果提供部
３００  メールサーバ
３２１  送信対象データベース
３３１  受付部
３３２  送信部
４００  広告サーバ
【図１】
2018041411.tif 000003
【図２】
2018041411.tif 000004
【図３】
2018041411.tif 000005
【図４】
2018041411.tif 000006
【図５】
2018041411.tif 000007
【図６】
2018041411.tif 000008
【図７】
2018041411.tif 000009
【図８】
2018041411.tif 000010
【図９】
2018041411.tif 000011
【図１０】
2018041411.tif 000012
【図１１】
2018041411.tif 000013